(57)【要約】【課題】人工構造物で完全に覆われた法面の緑化を可能に、特に、天然の山林に近い状態の植生を実現する。【解決手段】法面緑化方法は、コンクリートの法枠２に覆われた法面１を緑化するための方法であって、以下の工程を備えている。◎法枠２の両側を部分的に貫通させるための構造物貫通工程◎法枠２上に土壌７を搭載する土壌搭載工程◎土壌７上に芝マット９を貼る芝貼り工程◎芝マット９又は土壌７に樹木１１を植え付ける植物提供工程【選択図】　　　図７
2004019257.tif 000002
【特許請求の範囲】
【請求項１】
人工構造物に覆われた法面を緑化するための方法であって、
前記人工構造物の両側を部分的に貫通させるための構造物貫通工程と、
前記人工構造物上に土壌を搭載する土壌搭載工程と、
前記土壌上に芝マットを貼る芝貼り工程と、
前記芝マット又は前記土壌に植物を種まき又は植え付ける植物提供工程と、
を備えた法面緑化方法。
【請求項２】
前記構造物貫通工程は、前記人工構造物に一定の強度を維持したまま行う、請求項１に記載の法面緑化方法。
【請求項３】
前記構造物貫通工程は、前記人工構造物にひびを入れることで行う、請求項２に記載の法面緑化方法。
【請求項４】
前記土壌搭載工程では、前記土壌は複数の袋に入れられて前記人工構造物上に搭載される、請求項１〜３のいずれかに記載の法面緑化方法。
【請求項５】
前記土壌搭載工程では、前記複数の袋は前記法面に固定される、請求項４に記載の法面緑化方法。
【発明の詳細な説明】
【０００１】
【発明の属する技術分野】
本発明は、法面緑化方法、特に、コンクリートなどの人工構造物に覆われた法面を緑化する方法に関する。
【０００２】
【従来の技術】
従来より例えば道路を山間部に建設する際には、山を切り取ったりあるいは盛り土によって、道路の片側又は両側に法面を形成する。さらに、さらに、土や岩の崩落を防止するために、コンクリートブロック積み、法枠ブロック、モルタル吹きつけなどで法面を覆っている。
【０００３】
【発明が解決しようとする課題】
このように法面を人工構造物で覆うことは、道路や家屋の安全ためには必要なのであるが、その一方で法面を全面的に覆ってしまうため、自然が全く存在しない殺伐とした風景を作り出し、郊外の道路近辺の美観を著しく害している。
このような法面の外観を改善するために様々な緑化方法が提案されている。しかし、コンクリート等によって完全に覆われた法面においては、法面が外部から完全に遮断されているため、コンクリートの表面に天然の山林と同様な樹木類が育った植生を復活させることは大変困難であった。
【０００４】
本発明の課題は、人工構造物で完全に覆われた法面の緑化を可能にすることにあり、特に、天然の山林に近い状態の植生を実現することにある。
【０００５】
【課題を解決するための手段】
請求項１に記載の法面緑化方法は、人工構造物に覆われた法面を緑化するための方法であって、以下の工程を備えている。
◎人工構造物の両側を部分的に貫通させるための構造物貫通工程
◎人工構造物上に土壌を搭載する土壌搭載工程
◎土壌上に芝マットを貼る芝貼り工程
◎芝マット又は土壌に植物を種まき又は植え付ける植物提供工程
この法面緑化方法では、最初に、人工構造物の両側を部分的に貫通させ、次に、人工構造物上に土壌を搭載する。この状態で土壌上に芝マットを貼り、最後に芝マットに植物を種まき又は植え付ける。
【０００６】
土壌の上に芝マットを貼ることによって、土壌は芝マットによって保持されて雨風によって流出しにくい。したがって、芝マットにまかれた又は植えられた植物は芝マットによって保護されて健やかに成長する。植物の根は土壌から人工構造物の貫通部分を通って法面にまで到達し、また法面の水分や養分は人工構造物の貫通部分を通って土壌側まで移動する。以上の結果、人工構造物で完全に覆われた法面の緑化が可能になり、特に、天然の山林に近い状態の植生を実現することができる。
【０００７】
請求項２に記載の法面緑化方法では、請求項１において、構造物貫通工程は、人工構造物に一定の強度を維持したまま行う。
この法面緑化方法では、人工構造物は一定の強度が維持されているため、自らが崩落したりするおそれが少ない。したがって、法面の保護も確実に行われている。
【０００８】
請求項３に記載の法面緑化方法では、請求項２において、構造物貫通工程は、人工構造物にひびを入れることで行う。
この法面緑化方法では、人工構造物はひびを入れられることで両側を部分的に貫通させられる。したがって、人工構造物は一定の強度が維持されており、自らが崩落したりするおそれが少ない。したがって、法面の保護も確実に行われている。
【０００９】
請求項４に記載の法面緑化方法では、請求項１〜３のいずれかにおいて、土壌搭載工程では、土壌は複数の袋に入れられて人工構造物上に搭載される。
この法面緑化方法では、土壌は、複数の袋に入れられているため、人工構造物から脱落しにくい。したがって、芝マットの成長が確実になる。
請求項５に記載の法面緑化方法では、請求項４において、土壌搭載工程では、複数の袋は法面に固定される。
【００１０】
この法面緑化方法では、複数の袋は法面に固定されているため、人工構造物から脱落しにくい。したがって、芝マットの成長が確実になる。
【００１１】
【発明の実施の形態】
１．法面の緑化方法
図１及び図２に本発明の一実施形態としての緑化方法が適用される法面１が示されている。法面１は、コンクリートからなる法枠２によって全面的に覆われている。法枠２は、格子状に形成された梁部３と、梁部３に囲まれた四角形状の面部４とから構成されている。梁部３は、面部４よりさらに上方に突出している。
【００１２】
本発明に係る法面の緑化方法について、以下工程ごとに説明していく。
（１）貫通工程
最初に、図３に示すよう、法枠２の特に面部４部分に衝撃を与えて、ひび割れを起こさせる。ここで、ひび５は、面部４の表面から裏面まで連続して形成されている必要がある。この結果、法枠２の面部４では、法面１と外部が連通して空気や水が行き来可能になる。なお、面部４を貫通させるためには、ひび割れでなく一部を破砕して取り除くような方法であってもよいが、少なくとも法枠２による法面１の保護性能を著しく低下させない程度の破損であることが必要である。
【００１３】
（２）土壌搭載工程
図４に示すように、土壌７を梁部３の間すなわち面部４の上に搭載していく。土壌７は、この実施形態では、複数の袋に詰められて面部４上に配置される。土壌７は、下側の梁部３によって支持され、面部４から下方に移動しにくくなっている。また、土壌７の各袋はピン８によって法面１及び面部４上に固定されている。土壌７を袋に詰めることによって、土壌搭載工程が容易になり、かつ、土壌７が雨風に対して流出しにくくなっている。なお、土壌７の種類としては軽量土壌が好ましい。
【００１４】
（３）芝貼り工程
図５に示すように、芝マット９を土壌７の上に貼っていく。芝マット９は、野芝のシートであって、芝層２２と土層２３とから構成されている。芝層２２は、刈り高さが１２ｍｍ程度である。土層２３は、層厚さが５ｃｍ程度であり、内部に芝の根が複雑に絡まった状態になっている。この芝マット９により、土壌７の浸食や崩壊を防止できる。特に、芝マット９は土層２３が５ｃｍ程度と厚くなっているため、土壌７の上に載置するだけで自然の森林の状態に近くなる。つまり、土層２３が表土として機能する。しかも、その表土は芝層２２に覆われかつ芝の根により保持されているため、雨風によって流出しにくい。
【００１５】
（４）苗木定植工程
図６に示すように、芝マット９の上に樹木１１の苗木を植える。樹木１１は、芝マット９によって根を保護され、健やかに成長する。樹木１１の根は、土壌７からさらに面部４のひび５を通って延び、さらに法面１内を延びていく。雨水や養分も面部４のひび５を通って両側に行き来する。
【００１６】
以上の作業から数年が経過すると、図７に示すように、樹木１１は成木となり、樹木１１の間には多年生草１２などの植物が繁殖している。これらの植物は本来その場所の環境に好適な植生を構成する植物である。なお、芝マット９の芝生は、多年生草１２の成長によって消滅している。
その結果、図８に示すように、コンクリートで覆われていた法面１には、天然の森林状態が回復される。言い換えると、在来樹木による景観の復元がなされる。このように法面に樹林が復活すると、周辺自然林との一体化が図られ、素晴らしい遠景が実現される。しかも、以上に述べた緑化方法は、全て簡単な工程の組み合わせからなるため、コストを十分に低減できる。
【００１７】
樹木１１の種類としては、この法面１に適した植生を構成するものであれば何でもよい。例えば、松、杉、檜等の針葉樹、あるいは楠、もみ、ぶな等の広葉樹でも良い。
樹木１１の苗木を先に土壌７に植えてから、芝マット９を貼るようにしてもよい。
【００１８】
さらに、苗木の代わりに、草や樹木の種を直接芝マット９に播くようにしてもよい。さらに、草や樹木の種をあらかじめ芝マット９内に播いておき、その芝マット９を土壌７に貼るようにしてもよい。
２．芝マット製造方法
図９は、本発明に係る法面の緑化方法に用いられる芝マット９の一例を示している。芝マット９は、芝層２２と土層２３とから主に構成されている。土層２３は、層厚さが５ｃｍ程度あり、内部に芝の根が複雑に絡まった状態になっている。
【００１９】
次に、図１０を参照しつつ、芝マット製造方法の一例を説明する。
（１）多孔質土層形成作業
まず、畑地の土壌層２４の上にビニールシート２５を貼る（Ａ）。ビニールシート２５は、ポリエチレン等で構成された農業用樹脂シートである。シート２５の色は、黒及び透明も含め何色でも良い。シート２５にはあらかじめ複数の水抜き孔２５ａが形成されている。孔２５ａは、ビニールシート５において、例えば１ｍ平方当たり６〜９個程度が概略等間隔になるように設けられる。
【００２０】
次に、ビニールシート２５の上に所定の厚みの土層２３を形成する（Ｂ）。土層２３は、シラスからなり、厚さ５ｃｍ程度にできるだけ均等な厚みとなるようにする。
（２）芝育成作業
土層２３の形成が完了すれば、土層２３の表面に図示しない芝の種子を蒔き、散水及び肥料供給を伴う芝育成を行う（Ｃ）。ここでは、芝の根２７は土層２３の中に伸び、その一部はビニールシート２５の孔２５ａを通じて土壌層２４に侵入して土壌層２４からも肥料分を吸収する。雨水や散水の余剰分は、ビニールシート２５の孔２５ａを通じて土壌層２４に浸透する。また、ビニールシート２５により、土壌層２４から雑草や害虫が土層２３に侵入することを防止できる。さらに、孔２５ａを通じて土壌層２４内に入り込んだ芝の根２７が係止部として作用し、降雨等による土層２３の移動を防止できる。
（３）芝マット作成作業
芝が１年以上成育すると、注文に合わせて所定の面積及び形状に芝をカットする。例えば、４ｍ四方の芝マット９を切り出す。芝の切断作業が終了すると、切り取られた例えば芝マット９及びビニールシート２５の端部を掴んで捲くり上げる。このとき、孔２５ａから延びた根２７をカッター２８等で切り落としながら芝マット９及びビニールシート２５を土壌層２４の表面から剥がし取る（Ｄ３）。なお、土層２３で育成した芝の根２７は、その一部のみが土壌層２４へ伸び出しているだけなので、根２７の切り落とし作業は容易であり、芝マット９及びビニールシート２５を土壌層２４から簡単に引き剥がせる。また、芝剥ぎ作業において切断される芝の根２７は僅かであり、大部分の根２７は健全な状態に維持されるので、芝貼り作業後の芝管理が容易になる。
【００２１】
以上の芝マット作成作業では、芝マット９をカットする際に、芝マットの根部分をその下の土壌層から切り離す作業が不要である。そのため、圃場において所望の形状に芝マット９の輪郭を切断するだけでよい。そのため、カットされる芝の幅が従来の芝貼り機のように歯の幅に限定されることがなく、面積を大きくすることができるし、形状を自由に変えられる。
【００２２】
３．他の実施形態
本発明はかかる上記実施形態に限定されるものではなく、本発明の範囲を逸脱することなく種々の変形又は修正が可能である。
例えば、本発明が適用される法枠の形状は前記実施形態に限定されない。また、土壌搭載工程において土壌は必ずしも袋に入れる必要はない。
【００２３】
【発明の効果】
本発明に係る法面の緑化方法では、土壌の上に芝マットを貼ることによって、土壌は芝マットによって保持されて雨風によって流出しにくい。したがって、芝マットにまかれた又は植えられた植物は芝マットによって保護されて健やかに成長する。植物の根は土壌から人工構造物の貫通部分を通って法面にまで到達し、また法面の水分や養分は人工構造物の貫通部分を通って土壌側まで移動する。以上の結果、人工構造物で完全に覆われた法面の緑化が可能になり、特に、天然の山林に近い状態の植生を実現することができる。
【図面の簡単な説明】
【図１】本発明の一実施形態としての緑化方法が適用される前のコンクリートで覆われた法面の斜視図。
【図２】図１に示された法面の断面図。
【図３】本発明の一実施形態としての緑化方法を工程ごとに説明するための図。
【図４】本発明の一実施形態としての緑化方法を工程ごとに説明するための図。
【図５】本発明の一実施形態としての緑化方法を工程ごとに説明するための図。
【図６】本発明の一実施形態としての緑化方法を工程ごとに説明するための図。
【図７】本発明の一実施形態としての緑化方法を工程ごとに説明するための図。
【図８】本発明の一実施形態としての緑化方法が適用された後の法面の斜視図。
【図９】本発明に用いられる芝マットの斜視図。
【図１０】本発明に用いられる芝マットの育成工程を説明するための図。
【符号の説明】
１　　法面
２　　法枠（人工構造物）
８　　土壌
９　　芝マット
１１　　樹木
【図１】
2004019257.tif 000003
【図２】
2004019257.tif 000004
【図３】
2004019257.tif 000005
【図４】
2004019257.tif 000006
【図５】
2004019257.tif 000007
【図６】
2004019257.tif 000008
【図７】
2004019257.tif 000009
【図８】
2004019257.tif 000010
【図９】
2004019257.tif 000011
【図１０】
2004019257.tif 000012